(57)【要約】【課題】    二つの記録層からの再生信号特性が均一な光記録媒体等を提供すること。【解決手段】  第一基板１１Ａ、有機色素からなる第一記録層２１Ａ、第一反射層３１Ａ、透光性の中間層４、有機色素からなる第二記録層２２Ａ、第二反射層３２Ａおよび第二基板１２Ａが順次積層され、第一基板１１Ａは、第一記録層２１Ａ側に第一グルーブＧ１Ａを有し、中間層４は、第二記録層２２Ａ側に第二グルーブＧ２Ａを有する光記録媒体１により、上記課題を解決する。この第一グルーブＧ１Ａと第二グルーブＧ２Ａが第一基板側から見て同一の位相構造であり、第一記録層２１Ａと第二記録層２２Ａとが第一基板側から見て同一の位相構造であることが好ましい。【選択図】  図２
2005108343.tif 000002
【特許請求の範囲】
【請求項１】
第一基板、有機色素からなる第一記録層、第一反射層、透光性の中間層、有機色素からなる第二記録層、第二反射層および第二基板が順次積層され、
前記第一基板は、前記第一記録層側に第一グルーブを有し、
前記中間層は、前記第二記録層側に第二グルーブを有することを特徴とする光記録媒体。
【請求項２】
前記第一反射層および前記第二反射層は、前記第一基板側の面が平坦であることを特徴とする請求項１に記載の光記録媒体。
【請求項３】
前記中間層は、前記第二グルーブの第二記録層側に、誘電体層を有することを特徴とする請求項１または２に記載の光記録媒体。
【請求項４】
前記中間層は、紫外線硬化型樹脂により形成されることを特徴とする請求項１乃至３のいずれか一項に記載の光記録媒体。
【請求項５】
前記第一基板が有する第一グルーブの形状および前記第一記録層と、前記中間層が有する第二グルーブの形状および前記第二記録層とが、前記第一基板側から見て同一の位相構造であることを特徴とする請求項１乃至４のいずれか一項に記載の光記録媒体。
【請求項６】
第一基板に第一グルーブを形成し、前記第一基板の前記第一グルーブ側に、有機色素からなる第一記録層、第一反射層および透光性の中間層を順次積層し、前記中間層の第一反射層を有しない側に第二グルーブを形成し、前記中間層の第二グルーブ側に有機色素からなる第二記録層および第二反射層を順次積層し、前記第二反射層と第二基板とを貼り合わせることを特徴とする光記録媒体の製造方法。
【発明の詳細な説明】
【技術分野】
【０００１】
本願は、光記録媒体および光記録媒体の製造方法に関し、具体的には、二層構造の光記録媒体であって、各層に記録された信号特性が均一である光記録媒体等に関する。
【背景技術】
【０００２】
従来より、各種情報を記録し、再生する記録媒体として、ＤＶＤ（digital versatile disc）等の光記録媒体が知られている。この光記録媒体として、一方の面側から情報が記録される層を一層有するシングルレイヤタイプの光記録媒体と、一方の面側から情報が記録される層を二層有するデュアルレイヤタイプの光記録媒体とが知られている。
【０００３】
この各光記録媒体のうち、デュアルレイヤタイプの光記録媒体は、情報が記録される層（以下、単に記録層という。）を二層有するため、高密度に大容量の情報を記録し、再生することができる。また、このデュアルレイヤタイプの光記録媒体は、一方の面側から二層の記録層に記録できるため、光記録媒体の記録・再生装置において、光記録媒体が設置される各面側に光学ピックアップを設けて、当該光学ピックアップを切り替えることを要しない。さらに、デュアルレイヤタイプの光記録媒体は、記録・再生時に、光記録媒体を反転させることも要しない。そのため、デュアルレイヤタイプの光記録媒体は、いわゆるシームレス録画およびシームレス再生が可能となる。
【０００４】
このように、デュアルレイヤタイプの光記録媒体は、情報記録の機能に優れている、その記録・再生装置における構成が簡易である、シームレス録画・再生のために使用者はビデオ鑑賞等を中断されることがない、等の利点を有している。
【０００５】
このようなＤＶＤにおいては、使用者において記録可能としたもの、いわゆるＤＶＤ−ＲやＤＶＤ−ＲＡＭも既に開発されている。
【０００６】
このうち、ＤＶＤ−Ｒの基本的構成は、ディスクの表面の情報記録領域に光学ピックアップのトラッキング手段であるスパイラル状の溝からなるプリグルーブが形成され、その上にスピンコート法等の手段で有機色素等の記録媒体が塗布され、乾燥されて記録層が形成され、その上に金属膜からなる反射層が形成されてなるものである。
【０００７】
さらに、例えば、特許文献１等には、デュアルレイヤタイプのＤＶＤ−Ｒ型光記録媒体として、図１にディスク面に対する垂直方向の断面図を示すように、第一基板１１ＢのグルーブＧ１Ｂが形成された側に有機色素からなる第一記録層２１Ｂおよび半透過性の第一反射層３１Ｂを形成した第一ディスク６１と、第二基板１２ＢのグルーブＧ２Ｂが形成された側に第二反射層３２Ｂおよび有機色素からなる第二記録層２２Ｂを形成した第二ディスク６２とを、第一反射層３１Ｂおよび第二記録層２２Ｂを対向させ、接着剤５Ｂ等を用いて貼り合わせた光記録媒体６が開示されている。
【０００８】
このような光記録媒体６は、第一基板１１Ｂ側からレーザ光を照射して各記録層２１Ｂおよび２２Ｂに情報を記録するようになっている。
【特許文献１】特開平１１−６６６２２号公報
【発明の開示】
【発明が解決しようとする課題】
【０００９】
しかしながら、上述したようなデュアルレイヤタイプの光記録媒体においては、各記録層２１Ｂおよび２２Ｂが有機色素からなるため、この記録層２１Ｂおよび２２Ｂに情報が記録されると、その記録されたピット部において屈折率が低下する。例えば、屈折率ｎ＝２．３程度であった各記録層２１Ｂおよび２２Ｂの有機色素は、情報記録後において、屈折率ｎ＝２．０程度に低下する。
【００１０】
この場合、グルーブＧ１Ｂの位置における第一記録層２１Ｂと、グルーブＧ２Ｂの位置における第二記録層２２Ｂとの、第一基板１１Ｂ側から見た位相構造が異なるため、第一記録層２１ＢのグルーブＧ１Ｂに記録した場合、屈折率の低下によりグルーブＧ１Ｂにおけるピット部の光学的な深さが深くなる。一方、第二記録層２２ＢのグルーブＧ２Ｂに記録した場合、屈折率の低下によりグルーブＧ２Ｂにおけるピット部の光学的な深さが浅くなる。この結果、第一記録層２１Ｂと第二記録層２２Ｂの各グルーブＧ１ＢまたはＧ２Ｂにそれぞれ記録された情報を再生する場合に、読み取れる再生信号の特性が、第一記録層２１Ｂと第二記録層２２Ｂとの間で不均一となる。
【００１１】
従って、本願は改良された光記録媒体およびその製造方法を提供することを課題の例とする。本願はまた、従来の二層構造の書込み型光記録媒体において生じる、二つの記録層からの再生信号特性の不均一な問題を解消してなる光記録媒体を提供することを他の課題の例とする。
【課題を解決するための手段】
【００１２】
上記の課題を解決するために、請求項１に記載の発明は、第一基板、有機色素からなる第一記録層、第一反射層、透光性の中間層、有機色素からなる第二記録層、第二反射層および第二基板が順次積層され、前記第一基板は、前記第一記録層側に第一グルーブを有し、前記中間層は、前記第二記録層側に第二グルーブを有することを特徴とする光記録媒体である。
【００１３】
上記の課題を解決するために、請求項６に記載の発明は、第一基板に第一グルーブを形成し、前記第一基板の前記第一グルーブ側に、有機色素からなる第一記録層、第一反射層および透光性の中間層を順次積層し、前記中間層の第一反射層を有しない側に第二グルーブを形成し、前記中間層の第二グルーブ側に有機色素からなる第二記録層および第二反射層を順次積層し、前記第二反射層と第二基板とを貼り合わせることを特徴とする光記録媒体の製造方法である。
【発明を実施するための最良の形態】
【００１４】
以下に、図２を参照して、本実施形態の光記録媒体およびその製造方法について具体的に説明する。なお、図２は、本実施形態の光記録媒体の面に対する垂直方向の切断面の一部を示す断面図である。
【００１５】
まず、本実施形態の光記録媒体の構成について説明する。
【００１６】
本実施形態の光記録媒体１は、図２に示すように、第一基板１１Ａ、有機色素からなる第一記録層２１Ａ、第一反射層３１Ａ、透光性の中間層４、有機色素からなる第二記録層２２Ａ、第二反射層３２Ａおよび第二基板１２Ａが順次積層されている。そして、第一基板１１Ａは、第一記録層２１Ａ側に第一グルーブＧ１Ａを有し、中間層４は、第二記録層２２Ａ側に第二グルーブＧ２Ａを有する。また、第二反射層３２Ａと第二基板１２Ａとは、接着層５Ａを介して貼り合わせられている。なお、本実施形態の光記録媒体１は、図２に示すように、第一基板１１Ａ側から記録用レーザ光および再生用レーザ光を照射して、記録、再生を行う。
【００１７】
第一基板１１Ａの材料は、ポリカーボネート樹脂、アクリル系樹脂、ポリオレフィン系樹脂等の透明樹脂が用いられる。このように、第一基板１１Ａの材料は、記録用レーザ光および再生用レーザ光を透過させる性質を有するものが用いられる。
【００１８】
また、第一基板１１Ａの厚さは、光記録媒体１の規格に従うが、通常、０．１−０．６ｍｍである。すなわち、光記録媒体１が赤色レーザ用のＤＶＤ−Ｒディスクである場合には、第一基板１１Ａの厚さは０．６ｍｍであり、光記録媒体１が青色レーザ用ディスクである場合には、第一基板１１Ａ（記録再生レーザ光の透過層に該当する。）の厚さは０．６ｍｍまたは０．１ｍｍである。なお、第一基板１１Ａは、円形で中心が空洞になった板状の形状のものが用いられる。
【００１９】
第一基板１１Ａの第一記録層２１Ａが形成される側には、第一グルーブＧ１Ａが形成されている。この形成されているグルーブＧ１Ａは、プリグルーブともいわれる。この第一グルーブＧ１Ａの形状は、通常、深さが１４０−１８０ｎｍ程度、幅が０．２５−０．３５μｍ程度、ピッチが０．７−０．９μｍ程度である。
【００２０】
また、第一グルーブＧ１Ａは、円形の第一基板１１Ａの中心を基準として、螺旋状または同心円状に形成されている。さらに、第一グルーブＧ１Ａは、所定の周期で半径方向に蛇行するようにしてもよい。以下において、このようにグルーブが蛇行していることをウォブルグルーブという。さらにまた、各第一グルーブＧ１Ａ間に位置するランドには、プリピットが所定間隔で形成されている。
【００２１】
有機色素からなる第一記録層２１Ａの材料は、従来の光記録媒体の記録層に用いられている有機色素を用いればよく、特に限定されないが、例えば、アゾ化合物の錯体、シアニン色素、フタロシアニン色素等が用いられる。また、第一記録層２１Ａの厚さは、特に限定されないが、通常、５０−１２０ｎｍである。
【００２２】
第一記録層２１Ａは、各第一グルーブＧ１Ａおよびその間のランドに沿って、ほぼ同様の厚みで形成されてもよい。また、第一記録層２１Ａは、第一反射層３１Ａの第一基板１１Ａ側の面を第一基板１１Ａの入光面に対して平行で平坦な面として形成するために、図２に示すように、第一グルーブＧ１Ａを埋め込むように形成され、第一反射層３１Ａが設けられる側を平坦な面に形成してもよい。
【００２３】
第一反射層３１Ａの材料は、金、アルミニウム、銀、銅等の金属や、これら金属からなる合金が用いられる。また、第一反射層３１Ａの厚さは、記録／再生用のレーザ光を反射させ、または、透過させることが可能な厚さとすれば特に限定されないが、通常、１０ｎｍ±２ｎｍ程度である。上述のように、第一記録層２１Ａの第一反射層３１Ａ側が平坦な面として形成されている場合には、第一反射層３１Ａは、第一基板１１Ａ側の面が第一基板１１Ａの入光面に対して平行で平坦な面にできる。
【００２４】
透光性の中間層４の材料は、光を透過させる性質を有し、第一基板１１Ａに形成される第一グルーブＧ１Ａと同様の第二グルーブＧ２Ａが形成できる材料であれば特に限定されないが、紫外線硬化性樹脂を用いることが好ましい。具体的には、中間層４の材料は、ガラス転移温度が１２５−１６０℃の紫外線硬化性樹脂が好ましく用いられる。また、中間層４の厚さは、特に限定されないが、通常、４０μｍ程度である。
【００２５】
中間層４の第二記録層２２Ａが形成される側には、第二グルーブＧ２Ａが形成されている。この第二グルーブＧ２Ａの形状は、上述の第一グルーブＧ１Ａと同様に第一基板１１Ａ側から見て第一基板１１Ａ側に突出した形状である。このように、第一グルーブＧ１Ａおよび第一記録層２１Ａと、第二グルーブＧ２Ａおよび第二記録層２２Ａとの形状において、第一基板１１Ａ側（記録、再生用レーザ光の入射側）から見た位相構造を同一の構成とすることができる。
【００２６】
有機色素からなる第二記録層２２Ａの材料および厚さは、第一記録層２１Ａの材料および厚さと同様にする。この第一記録層２１Ａと第二記録層２２Ａとの構成により、第一記録層２１Ａおよび第二記録層２２Ａに記録された各情報の再生信号特性が均一となる。
【００２７】
また、第二記録層２２Ａは、上述の第一記録層２１Ａと同様に、各第二グルーブＧ２Ａおよびその間のランドに沿って、ほぼ同様の厚みで形成されてもよい。さらに、第二記録層２２Ａは、第二反射層３２Ａの第一基板１１Ａ側の面を第一基板１１Ａの入光面に対して平行で平坦な面として形成するために、図２に示すように、第二グルーブＧ２Ａを埋め込むように形成され、第二反射層３２Ａが設けられる側を平坦な面に形成してもよい。
【００２８】
第二反射層３２Ａの材料は、上述の第一反射層３１Ａの材料と同様である。ただし、第二反射層３２Ａの材料は、第一反射層３１Ａのように光を反射する性質と透過する性質とを併せ持つ必要はなく、記録／再生用のレーザ光を全反射できればよい。
【００２９】
また、第二反射層３２Ａの厚さは、記録／再生用のレーザ光を全反射できる範囲において適宜選択され、例えば、５０ｎｍ以上とする。上述のように、第二記録層２２Ａの第二反射層３２Ａ側が平坦な面として形成されている場合には、第二反射層３２Ａは、第一基板１１Ａ側の面が第一基板１１Ａの入光面に対して平行で平坦な面にできる。これより、後述するように、第二反射層３２Ａと第二基板１２Ａとの平坦な面同士を接着させることになるので、これらの層が貼り合わせも容易になる。
【００３０】
第二基板１２Ａは、第一基板１１Ａと同様の材料、厚さ、形状のものが用いられる。
【００３１】
上述の第二反射層３２Ａと第二基板１２Ａとは、接着層５Ａを介して接着されている。この接着層５Ａ用の接着剤の材料は、特に限定されないが、紫外線硬化型接着剤等が用いられる。また、この接着剤からなる接着層５Ａの厚さは、特に限定されないが、通常、２０μｍ程度である。
【００３２】
なお、光記録媒体１は、図２に示される層構成に限定されず、上述の各層を有していれば、その他の各層を適宜設けることができる。
【００３３】
例えば、光記録媒体１には、図示しない誘電体層を設けることができる。この誘電体層は、光記録媒体１における中間層４と第二記録層２２Ａとの間に形成される。具体的には、誘電体層は、中間層４に形成した第二グルーブＧ２Ａに沿って形成される。なお、この誘電体層は、第二記録層２２Ａを保護し、また、光記録媒体１の光学的特性や熱的特性を調整するために設けられる。
【００３４】
誘電体層の材料は、特に限定されず、従来公知の材料が用いられるが、通常、ＺｎＳ−ＳｉＯ２、ＳｉＯ２、ＡｌＮ等が用いられる。また、誘電体層の厚さは、特に限定されず、通常、１−１０ｎｍ程度である。
【００３５】
また、図２における光記録媒体１においては、各記録層２１Ａおよび２２Ａにおける第一基板１１Ａ側から見たグルーブＧ１ＡおよびＧ２Ａが、第一基板１１Ａ側から見て重なって、同期している。しかしながら、各記録層２１Ａおよび２２Ａにおける第一基板１１Ａ側から見たグルーブＧ１ＡおよびＧ２Ａの位置は、これに限定されず、この各グルーブの位置が第一基板１１Ａ側から見てトラッキングする方向に対して直交する方向に互いにずれた位置に設けられていてもよい。
【００３６】
この光記録媒体１は、第一基板１１Ａ側から記録用レーザ光および再生用レーザ光が照射され、第一記録層２１Ａの第一グルーブＧ１Ａとそのランド、および、第二記録層２２Ａの第二グルーブＧ２Ａとそのランドにピットが形成される。
【００３７】
また、光記録媒体１としては、例えば、いわゆるＤＶＤ−Ｒディスク、ＤＶＤ−ＲＷディスク等の記録・再生が可能なディスクが用いられ、記録の消去や書き替えの可否は特に限定されない。
【００３８】
以上説明したように、本実施形態の光記録媒体１は、第一基板１１Ａ、有機色素からなる第一記録層２１Ａ、第一反射層３１Ａ、透光性の中間層４、有機色素からなる第二記録層２２Ａ、第二反射層３２Ａおよび第二基板１２Ａが順次積層され、当該第一基板２１Ａは、第一記録層２１Ａ側に第一グルーブＧ１Ａを有し、当該中間層４は、第二記録層２２Ａ側に第二グルーブＧ２Ａを有することを特徴とする。
【００３９】
よって、本実施形態の光記録媒体１は、第一基板１１Ａの第一グルーブＧ１Ａ上に第一記録層２１Ａを有するともに中間層４の第二グルーブＧ２Ａ上に第二記録層２２Ａを有するため、同様の形状を有する当該各グルーブＧ１ＡおよびＧ２Ａ上に、当該各記録層２１Ａおよび２２Ａを形成することができる。そのため、第一記録層２１Ａおよび第二記録層２２Ａを同様の材料および厚さで第一基板１１Ａ側から見て同一の位相構造とすることができるので、各記録層２１Ａおよび２２Ａにおける記録されたピット部の屈折率が低下した場合にも、両記録層２１Ａおよび２２Ａは同様にピット部の光学的な深さが変化する。従って、本実施形態の光記録媒体１は、両記録層２１Ａおよび２２Ａから再生される信号の特性が均一となり、他の不具合が生じ難くなる。
【００４０】
また、本実施形態の光記録媒体１は、第一記録層２１Ａ上に第一反射層３１Ａが形成されるので、その上に形成される中間層４に用いられる材料の選択の幅が広がる。さらに、本実施形態の光記録媒体１は、第二記録層２２Ａ上に第二反射層３２Ａが形成されるので、その上に形成される接着層５Ａに用いられる材料の選択の幅が広がる。またさらに、本実施形態の光記録媒体１は、いわゆるデュアルレイヤタイプの光記録媒体が従来から有する、高密度大容量の情報記録ができる、記録・再生装置の構成が簡易となる、シームレス録画・再生が可能となる等の各特性を有する。
【００４１】
また、上述の光記録媒体１において、第一反射層３１Ａおよび第二反射層３２Ａは、第一基板１１Ａ側の面が平坦であることを特徴とする。
【００４２】
よって、各反射層３１Ａおよび３２Ａのいかなる位置においても、記録ビーム光および再生ビーム光を均一に同様に反射させることができる。そのため、両記録層２１Ａおよび２２Ａから再生される信号の特性が均一となる作用がより向上する。
【００４３】
さらに、上述の光記録媒体１において、中間層４は、第二グルーブＧ２Ａの第二記録層２１Ａ側に、誘電体層を有することを特徴とする。
【００４４】
よって、光記録媒体１における第二記録層２２Ａを保護することができ、また、光記録媒体１の光学的特性や熱的特性を調整することができる。
【００４５】
さらにまた、上述の光記録媒体１においては、中間層４は、紫外線硬化型樹脂により形成されることを特徴とする。
【００４６】
よって、第一基板１１Ａに形成された第一グルーブＧ１Ａと同様の第二グルーブＧ２Ａを、中間層４に確実に形成することができる。そのため、第一記録層２１Ａおよび第二記録層２２Ａを同様の材料および厚さとし、確実に第一基板側から見て同一の位相構造とすることができ、両記録層２１Ａおよび２２Ａから得られる再生信号特性の均一性が向上する。
【００４７】
またさらに、上述の光記録媒体１においては、第一基板１１Ａが有する第一グルーブＧ１Ａの形状および第一記録層２１Ａと、中間層４が有する第二グルーブＧ２Ａの形状および第二記録層２２Ａとが、第一基板１１Ａ側から見て同一の位相構造であることを特徴とする。
【００４８】
よって、両記録層２１Ａおよび２２Ａから得られる再生信号特性の均一性が向上する。
【００４９】
次に、本実施形態の光記録媒体１の製造方法について説明する。
【００５０】
本実施形態の光記録媒体１は、第一基板１１Ａに第一グルーブＧ１Ａを形成し、この第一基板１１Ａの第一グルーブＧ１Ａ側に、有機色素からなる第一記録層２１Ａ、第一反射層３１Ａおよび透光性の中間層４を順次積層し、この中間層４の第一反射層３１Ａを有しない側に第二グルーブＧ２Ａを形成し、中間層４の第二グルーブＧ２Ａ側に有機色素からなる第二記録層２２Ａおよび第二反射層３２Ａを順次積層し、この第二反射層３２Ａと第二基板１２Ａとを貼り合わせることにより製造される。以下に、光記録媒体１の製造方法をより詳細に説明する。
【００５１】
まず、上述の材料および厚さからなる第一基板１１Ａにおける一方の面に、上述の形状からなる第一グルーブＧ１Ａを形成する。この第一グルーブＧ１Ａの形成方法は、特に限定されないが、フォトレジストやスタンパ等を用いた従来公知の方法が用いられる。
【００５２】
次いで、第一基板１１Ａに形成された第一グルーブＧ１Ａ上に、上述の材料および厚さからなる第一記録層２１Ａを形成する。この第一記録層２１Ａの形成方法は、特に限定されないが、通常、スピンコート法等が用いられる。具体的に、第一記録層２１Ａがスピンコート法により形成される場合には、上述の第一記録層２１Ａの材料を溶媒に溶解、分散させて塗工液とし、第一基板１１Ａ上にこの塗工液をスピンコートする。
【００５３】
なお、第一記録層２１Ａの材料として上述のアゾ化合物の錯体を用いる場合には、上述の塗工液の溶媒として、テトラフルオロプロパノールまたはオクタフルオロペンタノール等が用いられる。また、第一記録層２１Ａの材料として上述のシアニン色素を用いる場合には、上述の塗工液の溶媒として、エチルセルソルブまたはジメチルシクロヘキサン等が用いられる。
【００５４】
また、第一記録層２１Ａは、第一反射層３１Ａ側の面を、第一基板１１Ａの入光面と平行に、平坦に形成することが好ましい。
【００５５】
次いで、第一記録層２１Ａ上に、上述の材料および厚さからなる第一反射層３１Ａを形成する。この第一反射層３１Ａの形成方法は、特に限定されないが、通常、スパッタリング、蒸着法等が用いられる。
【００５６】
次いで、第一反射層３１Ａ上に、上述の材料および厚さからなる中間層４を形成する。この中間層４の形成方法は、特に限定されないが、中間層４の材料として上述の紫外線硬化性樹脂を用いる場合には、通常、スピンコート法等が用いられる。
【００５７】
次いで、中間層４における第一反射層３１Ａを有しない面に、上述の形状からなる第二グルーブＧ２Ａを形成する。この第二グルーブＧ２Ａの形成方法は、特に限定されないが、中間層４の材料として上述の紫外線硬化性樹脂を用いる場合には、この中間層４に第二グルーブＧ２Ａの形状に合わせたスタンパを押し当て、紫外線を照射することにより形成することができる。
【００５８】
次いで、中間層４に形成された第二グルーブＧ２Ａ上に、上述の材料および厚さからなる第二記録層２２Ａを形成する。この第二記録層２２Ａの形成方法は、上述の第一記録層２１Ａの形成方法と同様である。なお、第二記録層２２Ａは、第二反射層３２Ａ側の面を、第一基板１１Ａの入光面と平行に、平坦に形成することが好ましい。
【００５９】
次いで、第二記録層２２Ａ上に、上述の材料および厚さからなる第二反射層２１Ａを形成する。この第二反射層３２Ａの形成方法は、上述の第一反射層３１Ａの形成方法と同様である。
【００６０】
次いで、第二反射層３２Ａの第二記録層２２Ａを有しない側に、第二基板１２Ａを貼り合わせる。この第二反射層３２Ａと第二基板１２Ａとの貼り合わせには、上述の接着剤を用いる。そして、第二反射層３２Ａと第二基板１２Ａとの間にこの接着剤からなる接着剤層５が形成される。
【００６１】
具体的には、上述の接着剤をスピンコート法等により第二基板１２Ａまたは第二反射層３２Ａのいずれか一方の貼り合わせ面に塗布し、接着剤を塗布しなかった方の貼り合わせ面を、塗布した接着剤上に重ね合わせて圧着する。接着剤として上述の紫外線硬化型接着剤を用いた場合には、圧着後、紫外線を照射することにより、接着剤を硬化させて、二つの基板１１Ａおよび１２Ａを接着させる。
【００６２】
このようにして、本願にかかる光記録媒体１が製造される。
【００６３】
なお、上述の図示しない誘電体層を形成する場合には、中間層４における第二グルーブＧ２Ａ上に誘電体層を形成する。この誘電体層の形成方法も、特に限定されず、従来公知の方法が用いられるが、通常、スパッタリング、蒸着法等が用いられる。
【００６４】
以上説明したように、本実施形態の光記録媒体１の製造方法は、第一基板に第一グルーブＧ１Ａを形成し、前記第一基板の前記第一グルーブＧ１Ａ側に、有機色素からなる第一記録層、第一反射層および透光性の中間層を順次積層し、前記中間層の第一反射層を有しない側に第二グルーブＧ２Ａを形成し、前記中間層の第二グルーブＧ２Ａ側に有機色素からなる第二記録層および第二反射層を順次積層し、前記第二反射層と第二基板とを貼り合わせることを特徴とする。
【００６５】
よって、本実施形態の製造方法により製造された光記録媒体１は、第一基板１１Ａの第一グルーブＧ１Ａ上に第一記録層２１Ａを有するともに中間層４の第二グルーブＧ２Ａ上に第二記録層２２Ａを有するため、当該各記録層２１Ａおよび２２Ａを同様の形状を有する当該各グルーブ上に形成することができる。そのため、第一記録層２１Ａおよび第二記録層２２Ａを、同様の材料および厚さで、第一基板１１Ａ側から見て同一の位相構造の構成とすることができるので、各記録層２１Ａおよび２２Ａにおける記録されたピット部の屈折率が低下した場合にも、両記録層２１Ａおよび２２Ａは同様にピット部の光学的な深さが変化する。従って、製造された光記録媒体１は、両記録層２１Ａおよび２２Ａから再生される信号の特性が均一となり、各記録層２１Ａおよび２２Ａから安定して情報を再生することができる。
【００６６】
また、本実施形態の光記録媒体１は、第一記録層２１Ａ上に第一反射層３１Ａが形成されるので、その上に形成される中間層４に用いられる材料の選択の幅が広がる。さらに、本実施形態の光記録媒体１は、第二記録層２２Ａ上に第二反射層３２Ａが形成されるので、その上に形成される接着層５Ａに用いられる材料の選択の幅が広がる。またさらに、本実施形態の製造方法により製造された光記録媒体１は、いわゆるデュアルレイヤタイプの光記録媒体が従来から有する、高密度大容量の情報記録ができる、記録・再生装置の構成が簡易となる、シームレス録画・再生が可能となる等の各特性を有する。
【実施例】
【００６７】
続いて、本願の光記録媒体について、実施例および比較例を参照して説明する。
【００６８】
（実施例）
円盤形で厚さ０．６ｍｍのポリカーボネートからなる第一基板１１Ａに、第一グルーブＧ１Ａとして深さ１５５ｎｍ、幅３１０ｎｍ、トラックピッチ０．７４〜０．８μｍのウォブルグルーブを螺旋状に形成し、当該各ウォブルグルーブ間のランドにプリピットを所定間隔で形成した。この第一グルーブＧ１Ａ上に、アゾ化合物の錯体からなる有機色素をテトラフルオロプロパノールに溶解、分散させた塗工液をスピンコート法で塗布し、厚さ６０ｎｍの第一記録層２１Ａを形成した。次いで、この第一記録層２１Ａ上に、Ａｇ−Ｐｄ−Ｃｕ合金をスパッタリングにより形成し、厚さ１０ｎｍの第一反射層３１Ａを得た。
【００６９】
次いで、第一反射層３１Ａ上に、ガラス転移温度が１５７℃程度の紫外線硬化性樹脂をスピンコートし、厚さ５０μｍの中間層４を形成した。次いで、この中間層４上に、第一グルーブＧ１Ａと同様の形状の第二グルーブＧ２Ａを形成した。この第二グルーブＧ２Ａは、所定のウォブルグルーブおよびプリピットのパターンを有する透光性の樹脂スタンパを中間層４に押し当て、当該スタンパを介して中間層４に紫外線を照射することにより形成された。
【００７０】
次いで、この第二グルーブＧ２Ａ上に、第一記録層２１Ａと同様に、アゾ化合物の錯体からなる有機色素をテトラフルオロプロパノールに溶解、分散させた塗工液をスピンコート法で塗布し、厚さ６０ｎｍの第二記録層２２Ａを形成した。次いで、この第二記録層２２Ａ上に、銀（Ａｇ）をスパッタリングにより形成し、厚さ１００ｎｍの第二反射層３２Ａを得た。
【００７１】
次いで、この第二反射層３２Ａと、円盤形で厚さ０．６ｍｍのポリカーボネートからなる第二基板１２Ａとを、紫外線硬化型の接着剤を用いて貼り合わせ、紫外線を照射して接着剤を硬化させて、接着層５Ａを形成した。このようにして、実施例の光記録媒体１を作製した。
【００７２】
（比較例）
第一基板１１Ｂ、第一記録層２１Ｂおよび第一反射層３１Ｂからなる第一ディスク６１を実施例と同様の材料、形成方法を用いて作製した。次いで、第二基板１２Ｂ上に、第一グルーブＧ１Ｂと同様の第二グルーブＧ２Ｂを形成し、その上に、第二反射層３２Ｂおよび第二記録層２２Ｂを形成した第二ディスク６２を作製した。第一ディスク６１と第二ディスク６２とを、各基板１１Ｂおよび１２Ｂを外側にして、接着剤を用いて貼り合わせ、接着層５Ｂを形成した。このようにして、比較例の光記録媒体６を作製した。
【００７３】
（評価方法）
実施例および比較例の光記録媒体１および６について、ディスク評価装置（パルステック工業株式会社製、ＤＤＵ−１０００）を用いて、各グルーブＧ１Ａ、Ｇ２Ａ、Ｇ１ＢおよびＧ２Ｂにおける各記録層の再生信号の各特性を測定した。再生信号の特性として、反射率、変調度及びジッター（Jitter）を測定した。測定結果を表１に示す。
【００７４】
【表１】
2005108343.tif 000003
表１に示されるように、本願の実施例にかかる光記録媒体１は、第一記録層２１Ａと第二記録層２２Ａとの間で反射率、変調度及びジッターの各再生信号特性に大きな差が見られなかった。従って、実施例の光記録媒体１において、第一記録層２１Ａと第二記録層２２Ａとは、ほぼ均一な再生信号特性を有するといえる。
【００７５】
一方、比較例にかかる光記録媒体６は、第一記録層２１Ｂと第二記録層２２Ｂとの間で反射率は大きな差がないものの、変調度及びジッターの各信号特性に大きな差が見られた。特に、第二記録層２２Ｂのジッターは測定することができない程度であった。従って、比較例の光記録媒体６において、第一記録層２１Ｂと第二記録層２２Ｂとは、不均一な再生信号特性を有するといえる。
【図面の簡単な説明】
【００７６】
【図１】従来技術の光記録媒体の面方向に垂直な断面図である。
【図２】本願における実施形態の光記録媒体の面方向に垂直な断面図である。
【符号の説明】
【００７７】
１    光記録媒体
１１Ａ、１１Ｂ    第一基板
１２Ａ、１２Ｂ    第二基板
２１Ａ、２１Ｂ    第一記録層
２２Ａ、２２Ｂ    第二記録層
３１Ａ、３１Ｂ    第一反射層
３２Ａ、３２Ｂ    第二反射層
４    中間層
５Ａ、５Ｂ    接着層
【図１】
2005108343.tif 000004
【図２】
2005108343.tif 000005